(57)【要約】【課題】  簡単な構成により、光源ランプにＬＥＤ等の点光源を用いても、効果的な電飾をなし得る発光飾り装置を提供する。【解決手段】  パチンコ機ＰＭの前面側に設けられて所定の遊技条件下で発光するように構成された発光飾り装置２０であって、パチンコ機ＰＭの前面側に設けられ、遊技中に所定の遊技条件下で点灯もしくは点滅する光源ランプ２１と、光源ランプ２１の前面側に取り付けられ、光透過性を有するカバー部材２２と、カバー部材２２において前面側及び裏面側の相対する位置に貼付され、光透過性及び光拡散性を有する１対のフィルム２３（２３ａ，２３ｂ）と、カバー部材２２の前面側に貼付されたフィルム２３ａを覆うようにカバー部材２２に取り付けられ、光透過性を有するレンズ部材２４とを有して構成されている。【選択図】  図２
2005204797.tif 000002
【特許請求の範囲】
【請求項１】
所定の遊技媒体を用いて行われる遊技機において、前記遊技機の前面側に設けられて所定の遊技条件下で発光するように構成された発光飾り装置であって、
前記遊技機の前面側に設けられ、遊技中に所定の遊技条件下で点灯もしくは点滅する光源ランプと、
前記光源ランプの前面側に取り付けられ、光透過性を有するカバー部材と、
前記カバー部材において前面側及び裏面側の相対する位置に貼付され、光透過性及び光拡散性を有する１対のフィルムと、
前記カバー部材の前面側に貼付された前記フィルムを覆うように前記カバー部材に取り付けられ、光透過性を有するレンズ部材とを有して構成されていることを特徴とする発光飾り装置。
【請求項２】
前記レンズ部材は、前記光源ランプからの光の照射方向に向けて前記カバー部材から突出した球面形状を有し、中心部の厚さが周辺部の厚さよりも厚く構成されていることを特徴とする請求項１に記載の発光飾り装置。
【請求項３】
前記カバー部材は、該カバー部材の前面側及び裏面側の相対する位置に凹部を有し、
前記凹部の内壁の周囲径は、貼付される前記フィルムの外径寸法に対応するように形成され、
前記フィルムは、前記凹部の内部に貼付されることを特徴とする請求項１又は２に記載の発光飾り装置。
【発明の詳細な説明】
【技術分野】
【０００１】
本発明は、パチンコ機に代表される弾球遊技機のように遊技球を用いて行われる遊技機や、スロットマシンのようにメダルを用いて行われる遊技機において、所定の遊技条件下で発光する発光飾り装置に関する。なお、これら遊技球、メダル等を総称して遊技媒体と称する。
【背景技術】
【０００２】
例えば、パチンコ機は、遊技領域内に複数の入賞装置を備えた遊技盤と、遊技球を遊技領域内に発射する発射装置と、この発射装置から遊技球が入賞装置へ入賞したときに所定の数の賞品球を球皿に払い出す処理を行う球払い出し機構とを有して構成され、遊技者は発射装置を操作して遊技球を入賞装置に入賞させることを楽しむように構成されている。このように遊技を行っているときに、遊技者の興味を引きつけたり、遊技者を楽しませたり、遊技球が入賞装置に入賞したことを遊技者に知らせたりするため、パチンコ機にはＬＥＤ等の光源ランプを用いた種々の発光飾り装置が遊技盤上に配設されている。
【０００３】
従来、このような発光飾り装置としては、遊技中に点灯もしくは点滅する光源ランプを遊技盤の前面側に設け、この光源ランプの上を覆うように遊技盤にカバー部材を取り付けて構成されているものがあり、その一例として、カバー部材の一部を縮み印刷により形成して光源ランプから発せられた光を散乱させるように構成されたものが開示されている（例えば、特許文献１を参照）。
【特許文献１】特開２００２−２１００９１号公報
【発明の開示】
【発明が解決しようとする課題】
【０００４】
ところで、発光飾り装置に用いられる光源ランプは、ＬＥＤや豆ランプ等のいわゆる点光源であり、これらは発光面積が小さく、装飾性が乏しい。そこで、このような発光飾り装置において、遊技者の関心を引くような発光表示をするために、例えば、光源ランプやレンズ等の構成部品を増やすと、遊技盤上の配置（スペース）取りが困難になる、遊技盤の組み立て工数が多くなるといった問題があった。さらに、光源ランプを増やすと、多量の電力を消費する、光源ランプの交換作業が面倒である、といった問題があった。
【０００５】
本発明はこのような問題に鑑みたもので、簡単な構成により、光源ランプにＬＥＤ等の点光源を用いても、効果的な電飾をなし得る発光飾り装置を提供することを目的としている。
【課題を解決するための手段】
【０００６】
このような目的達成のため、本発明は、所定の遊技媒体を用いて行われる遊技機において、前記遊技機の前面側に設けられて所定の遊技条件下で発光するように構成された発光飾り装置であって、前記遊技機の前面側に設けられ、遊技中に所定の遊技条件下で点灯もしくは点滅する光源ランプと、前記光源ランプの前面側に取り付けられ、光透過性を有するカバー部材と、前記カバー部材において前面側及び裏面側の相対する位置に貼付され、光透過性及び光拡散性を有する１対のフィルムと、前記カバー部材の前面側に貼付された前記フィルムを覆うように前記カバー部材に取り付けられ、光透過性を有するレンズ部材とを有して構成されている。
【０００７】
なお、前記レンズ部材は、前記光源ランプからの光の照射方向に向けて前記カバー部材から突出した球面形状を有し、中心部の厚さが周辺部の厚さよりも厚く構成されていることが好ましい。
【０００８】
また、前記カバー部材は、該カバー部材の前面側及び裏面側の相対する位置に凹部を有し、前記凹部の内壁の周囲径は、貼付される前記フィルムの外径寸法に対応するように形成され、前記フィルムは、前記凹部の内部に貼付されることが好ましい。
【発明の効果】
【０００９】
本発明は、光源ランプからの光を、カバー部材の両面に貼付された１対の光拡散性を有するフィルム及びレンズ部材を通過させることにより、光を十分に拡散して、レンズ部材全体を均等に光らせることができるように構成されている。これにより、本発明は、簡単な構成ながら、光源ランプにＬＥＤ等の点光源を用いても、効果的な電飾をなし得る発光飾り装置を提供することが可能となる。
【００１０】
なお、カバー部材は、該カバー部材の全面にわたって光透過性を有してもよいし、一部だけあってもよい。すなわち、カバー部材においてフィルムを貼付する部分を光透過性部材で構成して、他の部分を光非透過性部材で構成するようにしてもよい。あるいは、カバー部材全体を光透過性部材で構成した上で、フィルムを貼付する部分以外を光非透過性部材で覆うように構成してもよい。
【００１１】
また、本発明では、前記レンズ部材は、前記光源ランプからの光の照射方向に向けて前記カバー部材から突出した球面形状を有し、中心部の厚さが周辺部の厚さよりも厚く構成されていることが好ましい。これにより、光源ランプの光をより十分に拡散させて、レンズ部材全体を均等に、且つ、柔らか味が感じられる発光表示が可能となる。
【００１２】
また、本発明では、前記カバー部材は、該カバー部材の前面側及び裏面側の相対する位置に凹部を有し、前記凹部の内壁の周囲径は、貼付される前記フィルムの外径寸法に対応するように形成され、前記フィルムは、前記凹部の内部に貼付されることが好ましい。これにより、フィルムを貼付する位置が明確となり、遊技盤の組み立て作業をより迅速且つ的確に行うことができる。
【００１３】
なお、上記のような本発明の発光飾り装置が用いられる遊技機としては、例えば、遊技領域内に複数の入賞装置を備えた遊技盤と、遊技球（遊技媒体）を遊技領域内に発射する発射装置と、この発射装置から発射された遊技球が入賞装置へ入賞したときに所定の数の賞品球を球皿に払い出す処理を行う球払い出し機構とを有して構成される弾球遊技機（パチンコ機）がある。
【発明を実施するための最良の形態】
【００１４】
以下、図面を参照して本発明の好ましい実施形態について説明する。本発明に係る発光飾り装置を有してなるパチンコ機の一例を図４及び図５に示している。なお、図４はパチンコ機ＰＭの全体正面図であり、図５はパチンコ機ＰＭの遊技盤正面図である。
【００１５】
このパチンコ機ＰＭには、外郭方形枠サイズに構成された縦向きの固定保持枠をなす外枠１の開口前面に、これに合わせた方形枠サイズに構成された前枠２が互いの正面左側に配設されたヒンジ機構３ａ、３ｂで横開き開閉及び着脱が可能に取り付けられ、正面右側に設けられた施錠装置４を利用して常には外枠１と係合された閉鎖状態に保持される。
【００１６】
この前枠２の各部に必要な遊技構成部材として、前枠２の前面域に合わせた方形状のガラス扉５、ガラス扉５の背後には前枠２と一体に繋がって前後二重枠形態に形成された方形枠サイズの収容枠（図示せず）、球受け皿７及び遊技球の発射操作を行う発射ハンドル８が取り付けられている。さらに、パチンコゲームを展開し得る遊技盤１０が、収容枠の収容面域に対して水平姿勢・位置の縦向きで裏面側から着脱交換可能にセット保持されていて、前面の遊技領域１１をガラス扉５の正面に臨ませている。一方、前枠２の裏側には、図示しない裏セット盤が装備されている。
【００１７】
遊技盤１０は、収容枠の収容面域の内法に合わせた方形サイズで裏側から着脱されるようになっており、裏面の収容面域の周囲に配設された係合レバー（図示せず）により固定保持されるようになっている。遊技盤１０の前面におけるレール１５に囲まれて略円形の遊技領域１１が区画形成され、遊技領域１１には各種の遊技部品（液晶表示装置１２や大小の入賞具１３や発光飾り装置２０と、図示しない多数本の遊技釘や風車とを含む）が取り付けられている。また、遊技領域１１の下部には、いずれの入賞具１３に入賞せずに落下した遊技球を遊技盤１０の裏面側に排出させるアウト口１６が設けられている。
【００１８】
その他の構成として、図示しないが、発射ハンドル８の回動操作に応じて遊技球を打ち出す遊技球の発射装置、球払出装置から払い出された遊技球のうち球受け皿７に排出しきれない遊技球を一時貯留する貯留ケース、遊技球の発射装置によって打ち出された遊技球のうち遊技領域１１に到達できずに戻ってきたファール球を（貯留ケースを介して）球受け皿７に回収処理するファール球回収通路などが設けられている。
【００１９】
このパチンコ機ＰＭの裏面側には裏セット盤が着脱可能に取り付けられている。裏セット盤には、遊技球を貯留する球貯留タンクや、遊技盤１０における入賞状態に基づいて遊技球を払い出す球払出装置、球払出装置から払い出された遊技球を貯留ケースに導く払出通路などの賞球機構などが設けられている。さらに、裏セット盤には、遊技盤１０の前面に配設された発光飾り装置２０等におけるランプ類の点灯制御、液晶表示装置１２の表示制御、賞品球の払い出し制御等を行うための制御基板が取り付けられている。
【００２０】
本例のパチンコ機ＰＭにおいては発光飾り装置２０に本発明を適用しており、この発光飾り装置２０について図１〜図３，図５を参照して説明する。なお、図１は発光飾り装置２０の正面図であり、図２（ａ）は発光飾り装置２０を図１の矢印ＩＩ−ＩＩに沿って示す断面図であり、図２（ｂ）は図２（ａ）におけるカバー部材２２を拡大した断面図であり、図３は発光飾り装置２０の構成を説明する斜視図である。但し、図２（ｂ）では、カバー部材２２の凹部２２ａ，２２ｂを明確にするために、両面に貼付されたフィルム２３を鎖線にて示している。
【００２１】
発光飾り装置２０は、図示しないが遊技領域１１を形成する基板となるベニヤ板の開口領域に入り込むように取り付けられており、この開口領域に位置してカバー部材２２の背面側に取り付けられているランプ取付基板１７に実装された光源ランプ２１と、光源ランプ２１の前面側に配置され遊技盤１０に取り付けられたカバー部材２２と、カバー部材２２において前面側及び裏面側の相対する位置に貼付された１対のフィルム２３（２３ａ，２３ｂ）と、カバー部材２２の前面側に貼付されたフィルム２３ａを覆うようにカバー部材２２に取り付けられたレンズ部材２４と、レンズ部材２４の前面側に配置されて（カバー部材２２を介して）遊技盤１０に取り付けられた飾り枠２５とから構成されている。
【００２２】
光源ランプ２１は、赤色に発光する赤色ＬＥＤ、緑色に発光する緑色ＬＥＤ及び青色に発光する青色ＬＥＤの３種類のＬＥＤを内蔵し、それらの点灯状態を制御することによってカラー表示を行うことができる多色ＬＥＤ（発光ダイオード）から構成されている。
【００２３】
カバー部材２２は、部材全体が光透過性を有する材料（例えば、ポリカーボネート）を用いて、該部材の表面におけるフィルム２３を貼付する部分である凹部２２ａ，２２ｂ以外を光非透過性部材（例えば、所定の図柄が描かれている熱転写フィルム）で覆うようにインモールド成形されて作られている。凹部２２ａ，２２ｂは、カバー部材２２の略中央の前面側及び裏面側の相対する位置に設けられ、これら凹部２２ａ，２２ｂの内壁の周囲径は貼付されるフィルム２３ａ，２３ｂの外径寸法にそれぞれ対応するように形成されている。このような凹部２２ａ，２２ｂを設けることによって、カバー部材２２へのフィルム２３の貼付作業を効率良く行うことが可能となる。また、カバー部材２２には、飾り枠２５の取付部２５ｐと嵌合する３個の取付孔２２ｐと、レンズ部材２４を取り付けるためのネジが挿通される２個のネジ孔２２ｑとが形成されている。
【００２４】
フィルム２３は、光透過性及び光拡散性を有するフィルムの表面に光拡散性のインクが塗布されたものであり、カバー部材２２に形成された前面側の凹部２２ａの内部に貼付される前面側フィルム２３ａと裏面側の凹部２２ｂの内部に貼付される裏面側フィルム２３ｂとから構成されている。このように１対のフィルム２３ａ，２３ｂをカバー部材２２の両面に貼付することにより、本発明は（カバー部材２２の片面のみにフィルムを貼付する場合と比較して）光の拡散性を高めて、電飾効果を上げることを可能としている。
【００２５】
レンズ部材２４は、光透過性を有する材料（例えば、アクリル）を用いて射出成形されて作られており、光源ランプ２１からの光の照射方向に向けてカバー部材２２から突出した球面形状を有して中心部の厚さが周辺部の厚さよりも厚く構成されているレンズ２４ａと、レンズ２４ａの下部左右から突出して略中央部にネジ穴を有する取付片２４ｑとから構成されている（図２参照）。そして、係合片２４ａのネジ孔２４ｑに挿通されてカバー部材２２のネジ孔２２ｑを貫くネジにより、レンズ部材２４はカバー部材２２の所定位置に固定される。
【００２６】
飾り枠２５は、表面側に所定の図柄が設けられた熱転写フィルムを位置させて樹脂材料によりインモールド成形されて作られており、その表面は所望の曲面上の凹凸を有する形状をしている。また、飾り枠２５には、円筒状になって後方に突出する３個の取付部２５ｐが形成されており（図３参照）、この取付部２５ｐをカバー部材２２の取付孔２２ｐに嵌合して遊技盤１０にネジ止めすることにより、飾り枠２５は（フィルム２３及びレンズ部材２４を有する）カバー部材２２を介して遊技盤１０の所定位置に固定される。なお、このとき、カバー部材２２は、光源ランプ２１から発せられた光をより多くレンズ部材２４へ到達させるため、光源ランプ２１から光の照射方向側に所定角度（例えば、１５度）の傾斜を有して遊技盤１０に取り付けられている。
【００２７】
このように構成された発光飾り装置２０において、光源ランプ２１から発せられた光は、カバー部材２２の裏面側に貼付されたフィルム２３ｂ内に拡散し、カバー部材２２の光透過性を有する部分を透過して、カバー部材２２の前面側に貼付されたフィルム２３ａ内に拡散し、さらに球面形状を有するレンズ部材２４によって広範囲にわたって拡散して、レンズ部材２４の表面全体を均等に発光表示することができる。その結果、本発明は、簡単な構成であるが、光源ランプ２１にＬＥＤ等の点光源を用いても、効果的な電飾をなし得る発光飾り装置２０を提供することが可能となる。さらに、本発明は、レンズ部材２４が中心部の厚さが周辺部の厚さよりも厚い球面形状を有しているため、光を十分に拡散させて、レンズ部材２４全体において柔らか味が感じられる発光表示が可能となる。
【００２８】
なお、本発明は、上記実施形態に限定されるものではなく、本発明の要旨を逸脱しない範囲であれば適宜改良可能である。例えば、光源ランプ２１において、上記実施形態では赤・緑・青のＬＥＤからなる多色ＬＥＤを用いているが、多色ＬＥＤを構成するＬＥＤの色の組み合わせはこれに限定されるものではない。また、光源ランプ２１には、多色ＬＥＤではなく単色ＬＥＤを用いてもよい。また、光源ランプ２１には、ＬＥＤではなく、豆ランプ等を使用することも可能である。さらに、光源ランプ２１には、複数のランプを配置することも可能である。また、飾り枠２５とレンズ部材２４との間に光透過性部材（例えば、透明樹脂製の埃よけ用のカバー等）を配置することも可能である。
【図面の簡単な説明】
【００２９】
【図１】本発明に係る発光飾り装置の正面図である。
【図２】本発明に係る発光飾り装置を図１の矢印ＩＩ−ＩＩに沿って示す断面図である。
【図３】本発明に係る発光飾り装置の構成を説明する斜視図である。
【図４】本発明に係る発光飾り装置を有したパチンコ機の正面図である。
【図５】本発明に係る発光飾り装置を有したパチンコ機の遊技盤前面を示す正面図である。
【符号の説明】
【００３０】
ＰＭ  パチンコ機（遊技機）
１  外枠
２  前枠
３ａ，３ｂ  ヒンジ機構
４  施錠装置
５  ガラス扉
７  球受け皿
８  発射ハンドル
１０  遊技盤
１１  遊技領域
１２  液晶表示装置
１３  入賞具
１５  レール
１６  アウト口
１７  ランプ取付基板
２０  発光飾り装置
２１  光源ランプ
２２  カバー部材
２３  フィルム
２４  レンズ部材
２５  飾り枠
【図１】
2005204797.tif 000003
【図２】
2005204797.tif 000004
【図３】
2005204797.tif 000005
【図４】
2005204797.tif 000006
【図５】
2005204797.tif 000007